(57)【要約】【課題】原稿の見易さおよび利用の範囲を広げることができようにし、また、印刷される画像を有効利用できるようにする。【解決手段】原稿の画像を読み取る画像読取手段と、画像読取手段で読み取った画像から地紋パターンを検出する地紋パターン検出手段と、画像読取手段で読み取った画像を表示する表示手段と、画像読取手段で読み取った画像を用紙に印刷する印刷手段と、印刷手段で印刷された印刷用紙を排紙する排紙手段と、を有する画像形成装置であって、地紋パターン検出手段により、画像読取手段で読み取った画像から所定の地紋パターンを検出しなかった場合に、表示手段に表示される画像の所定の範囲に所定の地紋パターンを設定させる地紋パターン設定手段と、地紋パターン設定手段での設定に基づいて、画像の所定の範囲に所定の地紋パターンを合成する地紋パターン合成手段と、を備える。【選択図】図１
2008124711.tif 000002
【特許請求の範囲】
【請求項１】
原稿の画像を読み取る画像読取手段と、
該画像読取手段で読み取った画像から地紋パターンを検出する地紋パターン検出手段と、
前記画像読取手段で読み取った画像を表示する表示手段と、
前記画像読取手段で読み取った画像を用紙に印刷する印刷手段と、
該印刷手段で印刷された印刷用紙を排紙する排紙手段と、を有する画像形成装置であって、
前記地紋パターン検出手段により、前記画像読取手段で読み取った画像から所定の地紋パターンを検出しなかった場合に、前記表示手段に表示される画像の所定の範囲に所定の地紋パターンを設定させる地紋パターン設定手段と、
前記地紋パターン設定手段での設定に基づいて、前記画像の所定の範囲に前記所定の地紋パターンを合成する地紋パターン合成手段と、
を備えたことを特徴とする画像形成装置。
【請求項２】
前記地紋パターン設定手段は、前記所定の地紋パターンの処理内容を設定させることを特徴とする請求項１記載の画像形成装置。
【請求項３】
前記地紋パターン設定手段は、前記表示手段に表示される画像を視覚的に認識させながら、該画像の所定の範囲を設定させることを特徴とする請求項１または２記載の画像形成装置。
【請求項４】
前記地紋パターン設定手段は、あらかじめ用意された複数の地紋パターンの中から任意の地紋パターンを選択させて設定させることを特徴とする請求項１から３のいずれか１項に記載の画像形成装置。
【請求項５】
前記地紋パターン検出手段が、不正コピー防止を処理内容とする地紋パターンを検出した場合、前記印刷手段で出力される印刷用紙に対し、不正コピー防止の処理を行うことを特徴とする請求項１から４のいずれか１項に記載の画像形成装置。
【請求項６】
前記地紋パターン設定手段は、前記所定の地紋パターンの色を設定させることを特徴とする請求項１から５のいずれか１項に記載の画像形成装置。
【請求項７】
前記地紋パターン検出手段が、前記不正コピー防止を処理内容とする地紋パターン以外の地紋パターンを検出した場合に、該検出された地紋パターンを消去して、元の画像を再現する手段を備えたことを特徴とする請求項１から６のいずれか１項に記載の画像形成装置。
【請求項８】
前記地紋パターン検出手段が、前記不正コピー防止を処理内容とする地紋パターンを検出した場合には、前記画像読取手段で読み取られた画像を表示しない、または、前記画像読取手段で読み取られた画像を編集できないようにする制御を行う手段を備えたことを特徴とする請求項１から７のいずれか１項に記載の画像形成装置。
【請求項９】
前記表示手段は、前記地紋パターン設定手段による編集の結果得られる画像をリアルタイムに確認できることを特徴とする請求項１から８のいずれか１項に記載の画像形成装置。
【請求項１０】
前記地紋パターン設定手段による編集の結果得られる画像は、前記印刷手段による印刷以外に、ＦＡＸ送信時に出力される画像として使用されることを特徴とする請求項１から９のいずれか１項に記載の画像形成装置。
【請求項１１】
前記地紋パターン設定手段で設定された画像を記憶する記憶手段を備え、
前記地紋パターン設定手段は、前記画像読取手段が読み取った画像の前記地紋パターン検出手段が検出した地紋パターンが施されている範囲についてのみ、前記地紋パターン検出手段が検出した地紋パターンに応じて、設定させることを特徴とする請求項１から１０のいずれか１項に記載の画像形成装置。
【請求項１２】
原稿の画像を読み取り、該読み取った画像から地紋パターンを検出し、該検出した地紋パターンの処理内容に基づいて処理を行う画像処理方法であって、
前記読み取った画像から地紋パターンを検出しなかった場合に、該画像の所定の範囲に所定の地紋パターンを設定させる地紋パターン設定ステップと、
前記地紋パターン設定ステップでの設定に基づいて、前記画像の所定の範囲に前記所定の地紋パターンを合成する地紋パターン合成ステップと、
を実行することを特徴とする画像処理方法。
【請求項１３】
前記地紋パターン設定ステップは、前記所定の地紋パターンの処理内容を設定させることを特徴とする請求項１２記載の画像処理方法。
【請求項１４】
前記地紋パターン設定ステップは、所定の表示手段に表示される前記画像を視覚的に認識させながら、該画像の所定の範囲を設定させることを特徴とする請求項１２または１３記載の画像処理方法。
【請求項１５】
前記地紋パターン設定ステップは、あらかじめ用意された複数の地紋パターンの中から任意の地紋パターンを選択させて設定させることを特徴とする請求項１２から１４のいずれか１項に記載の画像処理方法。
【請求項１６】
不正コピー防止を処理内容とする地紋パターンを検出した場合、出力される印刷用紙に対し、不正コピー防止の処理を行うことを特徴とする請求項１２から１５のいずれか１項に記載の画像処理方法。
【請求項１７】
前記地紋パターン設定ステップは、前記所定の地紋パターンの色を設定させることを特徴とする請求項１２から１６のいずれか１項に記載の画像処理方法。
【請求項１８】
前記不正コピー防止を処理内容とする地紋パターン以外の地紋パターンを検出した場合に、該検出された地紋パターンを消去して、元の画像を再現するステップを実行することを特徴とする請求項１２から１７のいずれか１項に記載の画像処理方法。
【請求項１９】
前記不正コピー防止を処理内容とする地紋パターンを検出した場合には、前記読み取った画像を表示しない、または、前記読み取った画像を編集できないようにする制御を行うステップを実行することを特徴とする請求項１２から１８のいずれか１項に記載の画像処理方法。
【請求項２０】
前記地紋パターン設定ステップによる編集の結果得られる画像をリアルタイムに表示するステップを実行することを特徴とする請求項１２から１９のいずれか１項に記載の画像処理方法。
【請求項２１】
前記地紋パターン設定ステップによる編集の結果得られる画像は、印刷以外に、ＦＡＸ送信時に出力される画像として使用されることを特徴とする請求項１２から２０のいずれか１項に記載の画像処理方法。
【請求項２２】
前記地紋パターン設定ステップで設定された画像を記憶する記憶ステップを備え、
前記地紋パターン設定ステップでは、前記読み取った画像の前記検出した地紋パターンが施されている範囲についてのみ、前記検出した地紋パターンに応じて、設定させることを特徴とする請求項１２から２１のいずれか１項に記載の画像処理方法。
【発明の詳細な説明】
【技術分野】
【０００１】
本発明は、スキャナ等の画像読取手段で読み取った原稿画像の中に何らかの規制処理を示す地紋パターンが含まれていた場合に、その規制処理の内容を判断し、その規制に応じた処理を行う画像形成装置および画像処理方法に関する。
【背景技術】
【０００２】
従来の地紋パターンの利用した画像処理方法においては、原稿画像の背景として地紋パターン（所定の規制処理を示すもの）が原稿全体に合成されている。また、地紋パターンを合成する目的は、機密文書の漏洩防止、不正コピー防止としているものが多い。
【０００３】
このような画像処理の従来技術例として、原稿画像を読み取る画像読取手段と、画像読取手段により読み取った画像から地紋パターンを抽出し、当該地紋パターンを基準地紋パターンと比較することで、当該画像の記録紙への印刷または当該画像にかかる画像データの他の装置への転送が禁じられている画像か否かを判断する判別手段と、判別手段を外部装置から制御するための接続手段と、前記各手段を制御する制御手段と、を備えることにより、画像読取手段により読み取った原稿画像に、記録紙への印刷または当該画像にかかる画像データの他の装置への転送を禁じるための地紋パターンが形成されている場合に、当該印刷または転送を禁じるか否かを検出するに際して、検出動作を管理者が望む形で行わせることができる「画像処理装置および画像処理方法」がある（例えば、特許文献１参照）。
【特許文献１】特開２００４−２００８９７号公報
【発明の開示】
【発明が解決しようとする課題】
【０００４】
本発明は、上記事情に鑑みてなされたものであり、原稿のある特定の範囲のみに地紋パターンを合成することで、原稿の見易さおよび利用の範囲を広げるようにすることを目的とし、特定の範囲において、機密的な部分には適正な処理を、また、範囲が限定された地紋パターンを利用することで、部分的な加工を施し、印刷される画像を有効利用できるようにすることを目的とする。
【０００５】
また、本発明では、一画像形成装置において、地紋パターンを原稿画像に範囲を限定して設定できる機能を設け、地紋パターンの利用用途を広げるようにすることを目的とする。
【課題を解決するための手段】
【０００６】
かかる目的を達成するために、請求項１記載の発明は、原稿の画像を読み取る画像読取手段と、画像読取手段で読み取った画像から地紋パターンを検出する地紋パターン検出手段と、画像読取手段で読み取った画像を表示する表示手段と、画像読取手段で読み取った画像を用紙に印刷する印刷手段と、印刷手段で印刷された印刷用紙を排紙する排紙手段と、を有する画像形成装置であって、地紋パターン検出手段により、画像読取手段で読み取った画像から所定の地紋パターンを検出しなかった場合に、表示手段に表示される画像の所定の範囲に所定の地紋パターンを設定させる地紋パターン設定手段と、地紋パターン設定手段での設定に基づいて、画像の所定の範囲に所定の地紋パターンを合成する地紋パターン合成手段と、を備えたことを特徴とする。
【０００７】
請求項２記載の発明は、請求項１記載の発明において、地紋パターン設定手段は、所定の地紋パターンの処理内容を設定させることを特徴とする。
【０００８】
請求項３記載の発明は、請求項１または２記載の発明において、地紋パターン設定手段は、表示手段に表示される画像を視覚的に認識させながら、画像の所定の範囲を設定させることを特徴とする。
【０００９】
請求項４記載の発明は、請求項１から３のいずれか１項に記載の発明において、地紋パターン設定手段は、あらかじめ用意された複数の地紋パターンの中から任意の地紋パターンを選択させて設定させることを特徴とする。
【００１０】
請求項５記載の発明は、請求項１から４のいずれか１項に記載の発明において、地紋パターン検出手段が、不正コピー防止を処理内容とする地紋パターンを検出した場合、印刷手段で出力される印刷用紙に対し、不正コピー防止の処理を行うことを特徴とする。
【００１１】
請求項６記載の発明は、請求項１から５のいずれか１項に記載の発明において、地紋パターン設定手段は、所定の地紋パターンの色を設定させることを特徴とする。
【００１２】
請求項７記載の発明は、請求項１から６のいずれか１項に記載の発明において、地紋パターン検出手段が、不正コピー防止を処理内容とする地紋パターン以外の地紋パターンを検出した場合に、検出された地紋パターンを消去して、元の画像を再現する手段を備えたことを特徴とする。
【００１３】
請求項８記載の発明は、請求項１から７のいずれか１項に記載の発明において、地紋パターン検出手段が、不正コピー防止を処理内容とする地紋パターンを検出した場合には、画像読取手段で読み取られた画像を表示しない、または、画像読取手段で読み取られた画像を編集できないようにする制御を行う手段を備えたことを特徴とする。
【００１４】
請求項９記載の発明は、請求項１から８のいずれか１項に記載の発明において、表示手段は、地紋パターン設定手段による編集の結果得られる画像をリアルタイムに確認できることを特徴とする。
【００１５】
請求項１０記載の発明は、請求項１から９のいずれか１項に記載の発明において、地紋パターン設定手段による編集の結果得られる画像は、印刷手段による印刷以外に、ＦＡＸ送信時に出力される画像として使用されることを特徴とする。
【００１６】
請求項１１記載の発明は、請求項１から１０のいずれか１項に記載の発明において、地紋パターン設定手段で設定された画像を記憶する記憶手段を備え、地紋パターン設定手段は、画像読取手段が読み取った画像の地紋パターン検出手段が検出した地紋パターンが施されている範囲についてのみ、地紋パターン検出手段が検出した地紋パターンに応じて、設定させることを特徴とする。
【００１７】
請求項１２記載の発明は、原稿の画像を読み取り、読み取った画像から地紋パターンを検出し、検出した地紋パターンの処理内容に基づいて処理を行う画像処理方法であって、読み取った画像から地紋パターンを検出しなかった場合に、画像の所定の範囲に所定の地紋パターンを設定させる地紋パターン設定ステップと、地紋パターン設定ステップでの設定に基づいて、画像の所定の範囲に所定の地紋パターンを合成する地紋パターン合成ステップと、を実行することを特徴とする。
【００１８】
請求項１３記載の発明は、請求項１２記載の発明において、地紋パターン設定ステップは、所定の地紋パターンの処理内容を設定させることを特徴とする。
【００１９】
請求項１４記載の発明は、請求項１２または１３記載の発明において、地紋パターン設定ステップは、所定の表示手段に表示される画像を視覚的に認識させながら、画像の所定の範囲を設定させることを特徴とする。
【００２０】
請求項１５記載の発明は、請求項１２から１４のいずれか１項に記載の発明において、地紋パターン設定ステップは、あらかじめ用意された複数の地紋パターンの中から任意の地紋パターンを選択させて設定させることを特徴とする。
【００２１】
請求項１６記載の発明は、請求項１２から１５のいずれか１項に記載の発明において、不正コピー防止を処理内容とする地紋パターンを検出した場合、出力される印刷用紙に対し、不正コピー防止の処理を行うことを特徴とする。
【００２２】
請求項１７記載の発明は、請求項１２から１６のいずれか１項に記載の発明において、地紋パターン設定ステップは、所定の地紋パターンの色を設定させることを特徴とする。
【００２３】
請求項１８記載の発明は、請求項１２から１７のいずれか１項に記載の発明において、不正コピー防止を処理内容とする地紋パターン以外の地紋パターンを検出した場合に、検出された地紋パターンを消去して、元の画像を再現するステップを実行することを特徴とする。
【００２４】
請求項１９記載の発明は、請求項１２から１８のいずれか１項に記載の発明において、不正コピー防止を処理内容とする地紋パターンを検出した場合には、読み取った画像を表示しない、または、読み取った画像を編集できないようにする制御を行うステップを実行することを特徴とする。
【００２５】
請求項２０記載の発明は、請求項１２から１９のいずれか１項に記載の発明において、地紋パターン設定ステップによる編集の結果得られる画像をリアルタイムに表示するステップを実行することを特徴とする。
【００２６】
請求項２１記載の発明は、請求項１２から２０のいずれか１項に記載の発明において、地紋パターン設定ステップによる編集の結果得られる画像は、印刷以外に、ＦＡＸ送信時に出力される画像として使用されることを特徴とする。
【００２７】
請求項２２記載の発明は、請求項１２から２１のいずれか１項に記載の発明において、地紋パターン設定ステップで設定された画像を記憶する記憶ステップを備え、地紋パターン設定ステップでは、読み取った画像の検出した地紋パターンが施されている範囲についてのみ、検出した地紋パターンに応じて、設定させることを特徴とする。
【発明の効果】
【００２８】
本発明によれば、原稿の見易さおよび利用の範囲を広げることができ、また、印刷される画像を有効利用できる。さらに、地紋パターンの利用用途も広げることができる。
【発明を実施するための最良の形態】
【００２９】
本発明の実施形態では、以下の目的を達成する。
第１の目的として、原稿画像の特定の範囲における地紋パターンを画像形成装置上で作成し出力できるようにする、または、検出できるようにする。
第２の目的として、ユーザの使用目的に合わせて機能を選択できるようにする。
第３の目的として、編集をユーザの意図通りの箇所に施し、また、その操作を容易にできるようにする。
第４の目的として、画像の編集目的、用途また、ユーザの好みに合わせて地紋パターンを選択できるようにする。
第５の目的として、不正コピー防止の原稿が検出された時に、それを認識し、不正コピー防止の処理を適正に施すようにする。
第６の目的として、ユーザの好み、または原稿の見易さを意識して地紋パターンを合成できるようにする。
第７の目的として、編集後印刷された出力文書に対し、不正コピーを認識した場合には適正な処理を施し、それ以外の目的で地紋パターンが検出された場合に該出力文書から編集加工前の原画像を復元できるようにする。
第８の目的として、不正利用防止で作成された原稿を改ざんさせないようにする。
第９の目的として、ユーザが編集結果を視覚的に容易に把握でき、ユーザの意図と相違ない出力（編集）画像を提供するようにする。
第１０の目的として、ユーザによって編集加工された画像検出した結果得られる画像を、複写以外にもＦＡＸ送信の原稿などとして使用できるようにする。
第１１の目的として、地紋パターンが施されている範囲についてのみ、検出した地紋パターンに応じて、編集をすることを特徴とする画像形成装置を提供するようにする。
【００３０】
以下、本発明の一実施形態である画像形成装置の制御フロー及び操作方法について、図面を参照しながら説明する。
【００３１】
図１は、本発明の一実施形態における画像形成装置のシステム構成図である。図１に示すように、本実施形態の画像形成装置は、読取手段である読取部１０１、操作手段である操作部１０３、地紋パターン合成手段である地紋パターン合成部１０４、印刷手段である印刷部１０５、地紋パターン検出手段である地紋パターン検出部１０２、印刷部１０５で印刷される画像に排紙手段である排紙部１０７、印刷する用紙を給紙するための給紙手段である給紙部１０６、を備える。また、本実施形態の画像形成装置は、図１には図示していないが、上記各部を制御する制御部や、画像等を記憶する記憶部を備える。以下、各部についてそれぞれ説明する。
【００３２】
読取部１０１は、読み取りの対象となる原稿の画像を読み取る機能を有する。
【００３３】
地紋パターン検出部１０２は、読取部１０１で読み取られた画像に地紋パターンが含まれているか否かを判断し、画像に地紋パターンが含まれていた場合には、その地紋パターンを検出する機能を有する。
【００３４】
操作部１０３は、ユーザによる各種設定操作を受け付ける機能を有するとともに、ユーザに対して各種表示を行う機能も備える。特に、本実施形態では、操作部１０３は、読取部１０１で読み取られた画像を表示し、ユーザはその画像を見ながら、表示された画像のどの範囲にどのような地紋パターンを設定するかを決定し、それらを設定内容として操作部１０３から入力する。
【００３５】
地紋パターン合成部１０４は、読取部１０１で読み取られた画像に地紋パターンが含まれていない場合に、その画像を編集・加工する機能を有する。すなわち、操作部１０３から入力された設定内容に基づいて、その画像の指定された範囲に、指定された地紋パターンを合成する。
【００３６】
印刷部１０５は、地紋パターン合成部１０４により編集・加工して得られた画像（地紋パターンが合成された画像）、または、読取部１０１で読み取られた画像を用紙に印刷する機能を有する。
【００３７】
給紙部１０６は、印刷部１０５で印刷を行う際に用紙を給紙する機能を有し、排紙部１０７は、印刷部１０５で画像を印刷された用紙（印刷物）が排紙する機能を有する。
【００３８】
図示しない制御部は、上記各部を制御する。特に、本実施形態では、検出された地紋パターンの処理内容に基づいて処理を行うように各部を制御する。
【００３９】
ここで、本実施形態の画像形成装置として図２に示す複写機２０１を例とし、図４に示すフローチャートを用いて本実施形態の画像形成装置（複写機２０１）の動作、すなわち本実施形態における画像処理方法について以下に説明する。
【００４０】
通常、図２に示すような複写機２０１で原稿画像を読み取る場合には、ＡＤＦ（オートドキュメントフィーダ）２０２や圧版２０４に原稿をスキャンさせることによって原稿画像を読み取ることができる。
【００４１】
原稿画像の読み取りが開始されると（ステップＳ４０１）、地紋パターン検出部１０２は、地紋パターンの検出処理を合わせて行い（ステップＳ４０２）、読み取った画像から地紋パターンが検出されたか否かを判断する（ステップＳ４０３）。
【００４２】
ステップＳ４０３において、画像のどこにも地紋パターンが検出されなかった場合には（ステップＳ４０３／ＮＯ）、読み取った画像をそのまま操作部１０３に出力（表示）する（ステップＳ４０４）。例えば、図１の読取部１０１において読み取られた画像は、図２の操作ボード２０３（図３の３０３と同じ）に備えられた、図３に示す操作パネル３０２上に表示される。
【００４３】
ステップＳ４０３において、画像のどこか特定の範囲に地紋パターンが検出された場合には（ステップＳ４０３／ＹＥＳ）、その地紋パターンの処理内容に基づいて処理を行う（ステップＳ４０５）。また、地紋パターンに禁止処理が含まれているか否かを判断する（ステップＳ４０６）。
【００４４】
地紋パターンの処理内容が何らかの禁止処理であった場合は（ステップＳ４０６／ＹＥＳ）、その禁止処理に従った処理を行う（ステップＳ４０７）。禁止処理としては、不正コピー防止処理や読み取り禁止処理などがあり、例えば、不正コピー防止処理の地紋パターンであった場合は、印刷部１０５で出力される印刷用紙に対し、不正コピー防止の処理を行う。また、このような禁止処理の地紋パターンを検出した場合には、操作部１０３には画像は出力（表示）しないように制御する。さらに、その画像を操作部１０３で編集できないように制御する。これらの制御は、図１の地紋パターン検出部１０２が行ってもよいし、図１に図示しない制御部が行ってもよい。
【００４５】
一方、地紋パターンの処理内容が上記したような禁止処理ではなく、画像の編集が可能であることを示す地紋パターンであった場合は（ステップＳ４０６／ＮＯ）、この地紋パターンが検出された範囲で所定の処理を行い、編集後の画像を操作部１０３に表示する（ステップＳ４０８）。なお、その検出された地紋パターンを消去して、元の画像を再現して表示するようにしてもよい。
【００４６】
ここで、上記ステップＳ４０４で原稿がそのまま操作部１０３に表示された場合、ユーザはその原稿のプレビュー画像に対して、所定の処理を施すことができる。ここでは、特定の範囲に地紋パターンを設定する場合の例を挙げて説明する。
【００４７】
ユーザは、操作部１０３に表示されたプレビュー画像に対して、操作パネル３０２上から、または、指定のタッチペン等によって、編集を行うことができる。ユーザは、図５に示すような編集ボタンを押下し、カーソル等をこれらの媒体（タッチペンやカーソルキーなど）で動かすことによって、編集範囲を指定することができる。
【００４８】
また、ユーザは、上記の方法で編集範囲を指定し、その編集範囲に所望の地紋パターンを合成することが可能である。ユーザはこの合成の際に、地紋パターンの処理内容の決定、地紋パターンの出力する際の色の決定もできる。地紋パターンの処理内容を決定する際には、あらかじめシステムに用意された任意の地紋パターンを選択することが可能となり、選択された地紋パターンに対応した処理が決定される。なお、画像の編集中、ユーザは、編集の結果得られる画像をリアルタイムに確認できる。
【００４９】
合成する地紋パターンが決定され、ユーザが、図３に示すような操作ボード３０１（図２の操作ボード２０３と同じ）において開始ボタン３０３を押下すると、複写機２０１は印刷を開始する。読取部１０１で読み取られた原稿画像は、地紋パターン合成部１０４を経て印刷画像となり、印刷部１０５で給紙トレイ２０７から給紙された用紙に転写され、排紙トレイ２０６に排紙される。
【００５０】
次に、上記した図４のステップＳ４０８において、原稿で検出された特定の範囲に所定の処理を行うことができる複写機において、地紋パターンが印刷された原稿について説明する。
【００５１】
図５のプレビュー画面において、編集範囲枠で指定された箇所に地紋パターンを合成するように編集すると、地紋パターン合成部１０４において該当地紋パターンを複写原稿に合成し、合成後の画像を給紙トレイ２０７から給紙された用紙に印刷し、排紙トレイ２０６に排紙される。その画像は、図６に示すように、指定した特定の部分に地紋パターンを合成した画像となる。
【００５２】
ユーザはこの画像をみて、どこに加工が施されているのかを知ることができる。この視覚的に容易に加工部分がわかることにより、印刷後にどのような画像が得られるかもわかりやすくなる。このことで、この印刷物の再利用性を高めることができる。
【００５３】
次に、前記プレビュー画像において編集を加えられた画像について、もう１つの例を説明する。当該編集の結果得られる画像は、図５の操作パネル上の蓄積ボタンを押下することによって複写機内の記憶部（図１には図示せず）に蓄積することが可能である。編集範囲を指定後に蓄積ボタンを押すことによって、地紋パターン合成部１０４にて地紋パターンが合成され、蓄積画像として保存される。例えば、図５のように特定の範囲に地紋パターンを合成するように編集した場合は、図７に示すような編集後画像が蓄積される。ユーザはこの蓄積画像を使用して、印刷画像、またはＦＡＸ画像として利用ができる。この蓄積画像を上記の方法で、印刷またはＦＡＸ送信した場合、地紋パターンの指定の処理が白抜けであった場合に図８に示すような画像を出力することができる。
【００５４】
以上説明したように、本実施形態によれば、以下の効果を奏する。
第１の効果として、特定の範囲に地紋パターンを検出し、その特定の範囲にのみ指定の処理を行うことで、画像の用途を広げる効果がある。
【００５５】
第２の効果として、ユーザの使用目的に合った画像を作成できる効果がある。
【００５６】
第３の効果として、ユーザが感覚的に操作でき、ユーザの目的の編集が容易に作成でき、編集後の画像とユーザが意図した画像との乖離を防止する効果がある。
【００５７】
第４の効果として、ユーザの使用目的または好みに合った画像を作成できる効果がある。
【００５８】
第５の効果として、原稿が不正コピーされたことを知ることができる効果がある。
【００５９】
第６の効果として、ユーザの好み、出力画像の見易さの向上を考慮できる効果がある。
【００６０】
第７の効果として、地紋パターンが印刷されている原稿に対して、原画像を復元し、再利用できる効果がある。ただし、不正コピー防止の地紋パターンが印刷されている場合には不正なコピーを防止する効果がある。
【００６１】
第８の効果として、不正利用防止が目的で作成された原稿に対して、不正利用を防止し、またその原稿を改ざんされないことを防止する効果がある。
【００６２】
第９の効果として、ユーザが意図した編集結果と出力される画像に乖離が生じず、無駄な印刷を防止する効果がある。
【００６３】
第１０の効果として、特定の範囲のみの編集を行うことで、原稿の使用用途を広げる効果がある。
【００６４】
第１１の効果として、地紋パターンが施されている範囲についてのみ、検出した地紋パターンに応じて、編集をすることを特徴としているので、当該部分以外画像の視認性を害さない。また、編集対象の範囲を容易に把握できる。
【００６５】
以上、本発明の実施形態について説明したが、上記実施形態の記載に限定されるものではなく、その要旨を逸脱しない範囲において種々の変形が可能である。
【産業上の利用可能性】
【００６６】
本発明は、地紋パターン以外でも、読み取り原稿の特定の範囲に何らかの処理が施されていることが分かっている場合に適用できる。
【図面の簡単な説明】
【００６７】
【図１】本発明の一実施形態である画像形成装置の機能構成を示すブロック図である。
【図２】本発明の一実施形態である画像形成装置の外観を示す側面図である。
【図３】本発明の一実施形態である画像形成装置の操作ボードの外観を示す正面図である。
【図４】本発明の一実施形態である画像形成装置の地紋パターン検出フローを示すフローチャートである。
【図５】本発明の一実施形態である画像形成装置の操作パネルの外観を示す正面図である。
【図６】本発明の一実施形態である画像形成装置の出力画像の一例を示す正面図である。
【図７】本発明の一実施形態である画像形成装置の編集後画像の一例を示す正面図である。
【図８】本発明の一実施形態である画像形成装置の出力画像の一例を示す正面図である。
【符号の説明】
【００６８】
１０１    読取部（画像読取手段）
１０２    地紋パターン検出部（地紋パターン検出手段）
１０３    操作部（地紋パターン設定手段）
１０４    地紋パターン合成部（地紋パターン合成手段）
１０５    印刷部（印刷手段）
１０６    給紙部（給紙手段）
１０７    排紙部（排紙手段）
２０１    複写機（画像形成装置の一例）
２０２    ＡＤＦ
２０３    操作ボード（地紋パターン設定手段の一例）
２０４    圧版
２０５    スキャナ（画像読取手段の一例）
２０６    排紙トレイ（排紙手段の一例）
２０７    給紙トレイ（給紙手段の一例）
３０１    操作ボード（地紋パターン設定手段の一例）
３０２    操作パネル（地紋パターン設定手段の一例）
３０３    開始ボタン
【図１】
2008124711.tif 000003
【図２】
2008124711.tif 000004
【図３】
2008124711.tif 000005
【図４】
2008124711.tif 000006
【図５】
2008124711.tif 000007
【図６】
2008124711.tif 000008
【図７】
2008124711.tif 000009
【図８】
2008124711.tif 000010